(57)【要約】  複数のリンクプレート（２，２’）から成るリンクプレートチェン（１）であって、複数のリンクプレートチェン（２）が、リンクプレートセット（８，８’）を成しており、リンクプレートセット（８，８’）が、ジョイント（４，５，５’，１１）によって、隣接するリンクプレートセット（８，８’）と結合されている。少なくとも一部のリンクプレート（２，２’）が、当接手段（１３，１９，１９’，２０，２０’，２１，２１’，２２）を備えており、当接手段（１３，１９，１９’，２０，２０’，２１，２１’，２２）が、ジョイントを中心とする曲げ方向でリンクプレートチェンの曲げを制限している。
2009521649.tif 000002
【特許請求の範囲】
【請求項１】
複数のリンクプレート（２，２’）から成るリンクプレートチェン（１）であって、
複数のリンクプレートチェン（２）が、リンクプレートセット（８，８’）を成しており、リンクプレートセット（８，８’）が、ジョイント（４，５，５’，１１）によって、隣接するリンクプレートセット（８，８’）と結合されている形式のものにおいて、
少なくとも一部のリンクプレート（２，２’）が、当接手段（１３，１９，１９’，２０，２０’，２１，２１’，２２）を備えており、当接手段（１３，１９，１９’，２０，２０’，２１，２１’，２２）が、ジョイント（４，５，５’、１１）を中心とする曲げ方向でリンクプレートチェン（１）の曲げを制限していることを特徴とする、リンクプレートチェン。
【請求項２】
リンクプレートチェンが、少なくとも１つのガイドリンクプレート（１０）を備えており、当接手段が、ガイドリンクプレート（１０）の折曲部（１３）を備えており、該折曲部（１３）が、リンクプレートチェン（１）の屈曲状態で、隣接するリンクプレート背部（１７）に支持される、請求項１記載のリンクプレートチェン。
【請求項３】
当接手段を備えたリンクプレートが、ジョイント（４，５，５’，１１）の間に切欠（１４）を備えている、請求項２記載のリンクプレートチェン。
【請求項４】
当接手段が、少なくとも１つの突起（１９，１９’）を備えており、該突起（１９，１９’）が、ガイドリンクプレートの切欠（１４）に係合する、請求項１記載のリンクプレートチェン。
【請求項５】
当接手段が、リンクプレート（２，２’）の側面（２０，２０’）である、請求項１記載のリンクプレートチェン。
【請求項６】
ジョイントが、ピン（４，５，５’）を備えており、当接手段が、突出部（２１，２１’）を備えており、該突出部（２１，２１’）が、リンクプレートチェンの屈曲状態で、隣接するジョイントのピン（４，５，５’）に支持される、請求項１記載のリンクプレートチェン。
【請求項７】
当接手段が、リンクプレート（２，２’）の、折り曲げられた突出部（２２）を備えており、該突出部（２２）が、リンクプレートチェンの屈曲状態で、隣接するリンクプレートのリンクプレート背部（１７）に支持される、請求項１記載のリンクプレートチェン。
【請求項８】
ジョイント（４，５，５’）の揺動片（５）が、取付開口（１１）を通って、リンクプレートセット（８，８’）のリンクプレート（２，２’）と結合されており、隣接するリンクプレートセットの２つの揺動片（５，５’）が、ジョイント（４，５，５’）を形成しており、揺動片（５，５’）が、転動プロフィール（７，７’）で、互いに転動し、かつ／またはスライドするようになっている、請求項１から７までのいずれか１項記載のリンクプレートチェン。
【請求項９】
リンクプレートセット（８，８’）が、少なくとも１つのガイドリンクプレート（１０）を備えている、請求項１から８までのいずれか１項記載のリンクプレートチェン。
【請求項１０】
先行する請求項における、リンクプレート（２，２’）に関連する特徴を有するリンクプレートチェンのためのリンクプレート。
【請求項１１】
請求項１から９までのいずれか１項記載のリンクプレートチェンを備えた伝動装置。
【発明の詳細な説明】
【技術分野】
【０００１】
本発明は、複数のリンクプレートから成るリンクプレートチェンであって、リンクプレートが、リンクプレートスタックを形成しており、リンクプレートスタックが、ジョイントによって、隣接するリンクプレートスタックと結合されている形式のものに関する。
【０００２】
リンクプレートチェンは、たとえば可変の間隔を有する円錐ディスクの間で連続的に調節可能な伝達比を有する伝動装置（Ｃｏｎｔｉｎｏｕｓｌｙ  Ｖａｒｉａｂｌｅ  Ｔｒａｎｓｍｉｓｓｉｏｎ  ＣＶＴ）で使用されるか、または歯車に関して歯付リンクプレートチェンとして使用される。この場合歯付リンクプレートチェン伝動装置のチェン車もしくはＣＶＴ伝動装置のディスクセットに対してチェンが走入または走出する際にチェン部材に掛かる力作用によって、いわゆる（チェン）区分振動が生じる。区分振動とは、ここではディスクセットもしくはチェン車の間のチェンの横振動と解される。リンクチェンの多角形効果に関連して、歯付リンクプレートチェンにおけるバックラッシによって、チェン区分に振動が励起される。同等のことが、ＣＶＴ伝動装置におけるリンクプレートチェンにおいて、揺動片−端面とディスクセットとの間で起こる。歯付リンクプレートチェンにおいて歯付リンクプレートの走入に際して歯車に係合する際に生じる走入インパルスによって振動の生じる恐れがあり、振動は、様々な周波数のチェン回転数に応じて形成される。振動は、チェン伝動装置の音響特性にネガティブな影響を及ぼす。伝動装置の音響特性に及ぼされる不都合な作用を回避するために、伝動装置の内側に、対策手段、たとえばスライドレールや減衰エレメントを組み込むことができるが、このような対策手段は、追加的な構造スペースを要し、生産コストを高める。
【０００３】
チェン区分振動を、チェンに設けられた構成手段によって低減することが公知である。米国特許第１７８００４０号明細書には、たとえば背面に屈曲部を有する歯付リンクプレートが記載されている。この歯付リンクプレートは、チェンの振動を一方向で遮断する。リンクプレートは、ガイドリンクプレートとして形成することもできる。この構成の欠点として、特に背部領域においてリンクプレートの極めて急な構成が挙げられ、これによってリンクプレート剛性が高まり、その結果としてリンクプレート孔における引張応力が高まる。別の欠点として、屈曲部によるチェンの大きな構造スペースならびに個々のリンクプレートの高い製作コストが挙げられる。
【０００４】
本発明の課題は、チェン区分振動を減衰する、簡単で経済的に製作可能なリンクプレートチェンを提供することである。別の課題は、追加的な減衰手段、たとえばスライドレールまたは減衰エレメントの省略できるリンクプレートを提供することであり、その結果必要な構造スペースおよび伝動装置の製造コストの削減が得られる。
【０００５】
この課題を解決するための本発明の装置によれば、複数のリンクプレートから成るリンクプレートチェンであって、複数のリンクプレートチェンが、リンクプレートセットを成しており、リンクプレートセットが、ジョイントによって、隣接するリンクプレートセットと結合されている形式のものにおいて、少なくとも一部のリンクプレートが、当接手段を備えており、当接手段が、ジョイントを中心とする曲げ方向でリンクプレートチェンの曲げを制限している。有利には、チェン車またはディスクセットの巻掛において曲げとは逆向きの曲げ方向でリンクプレートチェンの曲げが制限され、巻掛に必要な曲げは、制限されない。リンクプレートチェンは、歯付リンクプレートチェンであってよい。
【０００６】
当接手段は、リンクプレートチェンの屈曲状態で隣接するリンクプレート背部に支持される折曲部であってよい。この場合有利には、当接手段を備えたリンクプレートは、ジョイントの間に切欠を備えている。
【０００７】
選択的に、当接手段は、少なくとも１つの突起を備えることができ、突起は、ガイドリンクプレートの切欠に係合する。別の実施例では、当接手段は、リンクプレートの側面である。別の実施形態によれば、ジョイントがピンを備えており、当接手段が突出部を備えており、突出部は、リンクプレートチェンの屈曲状態で、隣接するジョイントのピンに支持される。別の実施形態では、当接手段は、リンクプレートの、折り曲げられた突出部を備えており、突出部は、リンクプレートチェンの屈曲状態で、隣接するリンクプレートのリンクプレート背部に支持される。
【０００８】
有利には、ジョイントの揺動片は、取付開口を通って、リンクプレートセットのリンクプレートと結合されており、隣接するリンクプレートセットの２本の揺動片がジョイントを形成しており、この場合揺動片は、転動プロフィールで、互いに転動し、かつ／またはスライドできるようになっている。有利には、リンクプレートセットは、少なくとも１つのガイドリンクプレートを備えている。ガイドリンクプレートは、リンクプレートセットの内側に配置することができるが、リンクプレートセットの外側端部に配置することもできる。
【０００９】
前述の問題は、本発明によるチェンの、リンクプレートに関する特徴を有するリンクプレートチェンのためのリンクプレートならびに本発明によるリンクプレートチェンを有する伝動装置によっても解決される。伝動装置は、歯車伝動装置または伝達比可変の伝動装置、特にＣＶＴ伝動装置であってよい。したがってリンクプレートチェンは、歯付リンクプレートチェンであってよい。この場合歯付リンクプレートチェンは、通常ガイドリンクプレートを備えている。
【００１０】
次に図面につき本発明の実施例を詳しく説明する。
【００１１】
図２１には側面図で、図２２には上面図で、２枚リンクプレート結合体を有する従来技術によるリンクプレートチェンを示した。図２１および図２２につき、リンクプレートチェンおよび歯付リンクプレートチェンの基本構造ならびに本発明による実施例で適用される概念を説明する。実施例は、２枚リンクプレート結合体を有するリンクプレートチェンの一例につき記載するが、同様に３枚リンクプレート結合体を有するリンクプレートチェンでも適用される。リンクプレートチェン１は、多数のリンクプレート２と対応リンクプレート２’とを備えている。リンクプレート２および対応リンクプレート２’は、それぞれ交互に配置されていて、ジョイントとしてのジョイントピン４で結合されている。したがって１枚のリンクプレート２の両端部は、ジョイントによって、１枚または２枚の対応リンクプレート２’と結合されており、これに応じて１枚の対応リンクプレート２’の両端部は、ジョイントによって、１枚または２枚のリンクプレート２と結合されている。ジョイントピン４は、一体的であってよいが、有利には２部分から成っており、この場合揺動片（ロッカーピン）５は、リンクプレート２に配設されていて、対応リンクプレート２’に配設された揺動片５’に沿って転動する。このために揺動片５，５’は、それぞれ転動プロフィール（成形部）７，７’を有しており、転動プロフィール７，７’によって、揺動片５，５’は、互いに転動もしくはスライドすることができる。転動プロフィール７，７’は、同一であっても、異なっていてもよい。走行方向Ｌ（この方向は、符号Ｌを有する矢印で示した）に対して横向きにリンクプレート２および対応リンクプレート２’はスタックされているので、走行方向Ｌに対して横向きに相並んで配置された２つのジョイントピン４の間に、オーバーラップして配置された対応リンクプレート２’が配置されており、またこれとは逆に走行方向Ｌに対して横向きに相並んで位置する２枚の対応リンクプレート２’の間に、オーバーラップしてリンクプレート２が配置されている。このことはもちろん走行方向Ｌに対して横向きに外側に配置されたリンクプレート２もしくは対応リンクプレート２’には当て嵌らない。外側に配置されたリンクプレート２もしくは対応リンクプレート２’は、片側でしか隣接部材を有していない。そのように形成されたリンクプレート２のリンクプレートセット（リンクプレートスタックとも呼ばれる）は、それぞれセットを成してチェン部材８を形成しており、これに応じて対応リンクプレート２’の（対応）リンクプレートセットが、セットを成してチェン部材８’を形成する。リンクプレート２と対応リンクプレート２’とは、本実施例では、同一の構成部材であり、リンクプレート２と対応リンクプレート２’との違いは、専ら配置構造にある。したがって以下にリンクプレート２について説明する。なぜならばリンクプレート２は、セットごとの配置構造を除いて対応リンクプレートと同じであるという理由による。図２２には、それぞれ３枚のリンクプレート２および２枚の対応リンクプレート２’のリンクプレートセットを示しており、ここでは他の任意数のリンクプレート２および対応リンクプレート２’を備えたリンクプレートセットを設けることもできる。
【００１２】
図２１から判るように、リンクプレート２には、歯付リンクプレートチェンでは、リンクプレート歯部９が設けられている。たとえばＣＶＴ伝動装置に使用するためのリンクプレートチェンでは、リンクプレート歯部９は省略される。リンクプレート歯部９によって、リンクプレートチェン１は、たとえば歯車の歯列と噛み合う。リンクプレート２と対応リンクプレート２’との配分は、総じて延びた状態のチェンでリンクプレート歯部９の間の均等な配分が生じるように設定されている。対応リンクプレート２’にリンクプレート歯部９が設けられているので、リンクプレートおよび対応リンクプレート全体にそれぞれリンクプレート歯部９が設けられている。さらにまた専らリンクプレート２または対応リンクプレート２’に２つのリンクプレート歯部を設けるか、またはリンクプレートおよび対応リンクプレート２’にそれぞれ１つのリンクプレート歯部９を設けてもよい。リンクプレートユニットは、両側でガイドリンクプレート１０によって閉じられている。
【００１３】
図１には、揺動片５，５’に収容するための収容孔１１を備えた本発明によるガイドリンクプレート１０を示した。ガイドリンクプレート１０は、揺動片背部１２を備えており、揺動片背部１２に折曲部１３が配置されている。収容孔１１の間に、折曲部１３、揺動片背部１２ならびに基本体１５の一部を通って延びる切欠１４が形成されている。基本体１５は、揺動片背部１２とは反対側に突出部１６を備えている。図２には、歯付リンクプレートチェン１の一部で、本発明によるガイドリンクプレート１０を示した。ガイドリンクプレート１０は、図２１、２２で説明したように、リンクプレートセット８，８’の一部であり、所属の揺動片５，５’と固定式に結合されている。図３には、揺動片背部１２に向かって湾曲するか、もしくは屈曲した姿勢で、歯付リンクプレートチェン１の一部を側面図で示した。折曲部１３は、前後の端部の下面で、隣接するリンクプレート２のリンクプレート背部１７と接触する。
【００１４】
図５には、本発明によるリンクプレート２の第１実施例２．１を示した。リンクプレート２．１の基本体１５は、異なる２つのリンクプレートセットの、相互的に作用結合する両方の揺動片５，５’のための収容孔１１を備えている。前方の端部１８，１８’に、それぞれ突起１９，１９’が配置されており、突起１９，１９’は、基本体１５からチェン走行方向Ｌに関して側方で突出する。図６には、図５に示した歯付リンクプレート２．１を備えたリンクプレートチェンの一部を示した。チェン走行方向Ｌでみて相前後に配置された歯付リンクプレート２．１の列は、ガイドリンクプレート１０の列の直ぐ横に配置されている。突起１９，１９’は、ガイドリンクプレート１０の、図１で示した切欠１４に対応する切欠に係合する。図７には、図６に示した歯付リンクプレートチェン１の一部を屈曲姿勢で示しており、この場合歯付リンクプレートチェン１は、歯に向かって屈曲されている。この姿勢では、突起１９は、ガイドリンクプレート１０に当接しない。図８には、図７に示した歯付リンクプレートチェン１を、反対方向で、つまりリンクプレート背部１７に向かって屈曲姿勢で示した。この姿勢では、突起１９は、ガイドリンクプレートの切欠１４に当接し、更なる湾曲および屈曲を防止する。
【００１５】
図９には、本発明による歯付リンクプレート２の第２実施例２．２を示した。ここでは歯付リンクプレート２．２の、図５に示した実施例との相違点について説明する。突起１９，１９’の代わりに、歯付リンクプレート２．２は、側面２０，２０’を備えている。図１０には、図９に示した歯付リンクプレート２．２を備えたリンクプレートチェン１の一部を示した。図１０、１１には、側面の作用形式を示した。このために図１１には、チェンの延びた姿勢を示しており、図１２には、リンクプレート背部１７に向かって屈曲した姿勢を示した。図１２の姿勢で、隣接する歯付リンクプレートの側面２０，２０’は、互いに当接し、そうしてリンクプレートチェン１の更なる屈曲もしくは湾曲を防止する。
【００１６】
図１３には、本発明による歯付リンクプレート２の第３実施例２．３を示した。当接手段として、ここではチェン走行方向Ｌで延びる突出部２１，２１’が配置されている。突出部２１，２１’は、リンクプレートチェン１の屈曲状態で、隣接するピン４もしくは揺動片５，５’に支持される。図１４には、本発明による歯付リンクプレート２．３を備えたリンクプレートチェン１の一部を示した。歯付リンクプレート２．３は、リンクプレート結合体の内側に配置されており、歯付リンクプレート２．３の配置された列に、ピンもしくは揺動片５，５’の組み合わせ（相俟って図１に示したピン４と呼ばれる）が自由に維持される。揺動片５，５’に、図１５に示したように、歯付リンクプレートチェン１の屈曲状態で、突出部２１，２１’が支持される。図１６には、どのようにして隣接する歯付リンクプレートチェン２．３のリンクプレート２１，２１’が歯付リンクプレートチェン１の屈曲状態で揺動片５，５’に支持されるのかを示した。
【００１７】
図１７、１８には、本発明による歯付リンクプレート２の第４実施例２．４を示した。当接手段として、ここでは折り曲げられた突出部２２がリンクプレート背部１７に配置されている。折り曲げ曲げられた突出部２１は、単にリンクプレート背部１７の長さの一部にわたって延びていて、歯付リンクプレート２．４の基本体１５の幅２３に相当する最初の幅２３を有している。当接面２４に向かって、折り曲げられた突出部２２は拡張しており、その幅２６は、当接面２４の領域で、歯付リンクプレート２．４の幅２５を超える。リンクプレート背部１７の、折り曲げられた突出部２２のカバーしない領域は、当接面２７を有しており、当接面２７に、隣接する歯付リンクプレート２．４の、折り曲げられた突出部２２が、折り曲げられた突出部２２の下面の当接面２４で、当接する。図１９には、図１７および図１８に示した歯付リンクプレート２．４を備えた歯付リンクプレートチェン１の一部を示した。歯付リンクプレート２．４は、全て同じ方向付けで、歯付リンクプレートチェン１に取り付けられている。図２０には、図１７、１８に示した実施例の当接手段の作用形式を明示した。歯付リンクプレートチェンがリンクプレート背部１７に向かって屈曲されると、折り曲げられた突出部２２は、隣接するリンクプレートの当接面２７に当接する。
【図面の簡単な説明】
【００１８】
【図１】本発明によるガイドリンクプレートの第１実施例を示す図である。
【図２】図１に示したガイドリンクプレートを備えた歯付リンクプレートチェンの一部を示す図である。
【図３】図２に示した歯付リンクプレートチェンを屈曲した状態で示す図である。
【図４】図３の一部の拡大図である。
【図５】本発明による歯付リンクプレートの第１実施例を示す図である。
【図６】図５に示した歯付リンクプレートを備えた歯付リンクプレートチェンの一部を示す図である。
【図７】図５に示した歯付リンクプレートを備えた歯付リンクプレートチェンを第１の屈曲姿勢で示す図である。
【図８】図７に示した歯付リンクプレートチェンの一部を第２の屈曲姿勢で示す図である。
【図９】本発明による歯付リンクプレートの第２実施例を示す図である。
【図１０】図９に示したリンクプレートを備えた歯付リンクプレートチェンの一部を示す図である。
【図１１】図１０に示した歯付リンクプレートチェンの一部を延ばした姿勢で示す図である。
【図１２】図１１に相当する、歯付リンクプレートチェンの屈曲姿勢で示す図である。
【図１３】本発明による歯付リンクプレートの第３実施例を示す図である。
【図１４】図１３に示した歯付リンクプレートを備えた歯付リンクプレートチェンの一部を示す図である。
【図１５】屈曲した状態で歯付リンクプレートチェンを示す側面図である。
【図１６】図１５の拡大図である。
【図１７】本発明による歯付リンクプレートの第４実施例を示す図である。
【図１８】図１７に示した本発明による歯付リンクプレートを別の方向からみて示す図である。
【図１９】図１７および図１８に示した歯付リンクプレートを備えた歯付リンクプレートチェンの一部を示す図である。
【図２０】屈曲姿勢で歯付リンクプレートチェンの一部を示す図である。
【図２１】歯付リンクプレートチェンの側面図である。
【図２２】歯付リンクプレートチェンの上面図である。
【符号の説明】
【００１９】
１  リンクプレートチェン、  ２，２．１，２．２，２．３，２．４，２．５  リンクプレート、  ２’  対応リンクプレート、  ４  ジョイントピン、  ５  リンクプレートに配設された揺動片、  ５’  対応リンクプレートに配設された揺動片、  ７，７’  転動プロフィール、  ８，８’  リンクプレートセット（リンクプレートスタック、チェン部材）、  ９  歯、  １０  ガイドリンクプレート、  １１  収容孔、  １２  揺動片背部、  １３  折曲部、  １４  切欠、  １５  基本体、  １６  突出部、  １７  リンクプレート背部、  １８，１８’  端部、  １９，１９’  突起、  ２０，２０’  側面、  ２１，２１’  突出部、  ２２  折り曲げられた突出部、  ２３  最初の幅、  ２４  当接面、  ２５  リンクプレートの幅、  ２６  当接面２４における折り曲げられた突出部２１の幅、  ２７  当接面
【図１】
2009521649.tif 000003
【図２】
2009521649.tif 000004
【図３】
2009521649.tif 000005
【図４】
2009521649.tif 000006
【図５】
2009521649.tif 000007
【図６】
2009521649.tif 000008
【図７】
2009521649.tif 000009
【図８】
2009521649.tif 000010
【図９】
2009521649.tif 000011
【図１０】
2009521649.tif 000012
【図１１】
2009521649.tif 000013
【図１２】
2009521649.tif 000014
【図１３】
2009521649.tif 000015
【図１４】
2009521649.tif 000016
【図１５】
2009521649.tif 000017
【図１６】
2009521649.tif 000018
【図１７】
2009521649.tif 000019
【図１８】
2009521649.tif 000020
【図１９】
2009521649.tif 000021
【図２０】
2009521649.tif 000022
【図２１】
2009521649.tif 000023
【図２２】
2009521649.tif 000024
【国際調査報告】
2009521649.tif 000025
2009521649.tif 000026
2009521649.tif 000027
2009521649.tif 000028
2009521649.tif 000029
2009521649.tif 000030